(57)【要約】【課題】  列状に配設された複数の発光素子を有し、感光材料に対して画像データを列状に露光する露光手段と、該露光手段の露光面に、前記感光材料を前記露光手段の発光素子の配設方向と交差する方向に案内搬送する搬送手段と、前記露光手段の露光面での前記発光素子の光量を測定するセンサとを有する画像形成装置に関し、小型化が可能な画像形成装置を提供することを課題とする。【解決手段】  露光手段１３の露光面Ｅの部分の搬送手段１５の移動ガイド２９を露光手段１３の露光面Ｅから退避するガイド退避手段と、露光手段１３の露光面Ｅからセンサ１９を退避するセンサ退避手段とからなる。【選択図】          図１
2005161649.tif 000002
【特許請求の範囲】
【請求項１】
列状に配設された複数の発光素子を有し、感光材料に対して画像データを列状に露光する露光手段と、
該露光手段の露光面に、前記感光材料を前記露光手段の発光素子の配設方向と交差する方向に案内搬送する搬送手段と、
前記露光手段の露光面での前記発光素子の光量を測定するセンサと、
を有する画像形成装置において、
前記露光手段の露光面の部分の前記搬送手段のガイドを前記露光手段の露光面から退避するガイド退避手段と、
前記センサを前記露光手段の露光面から退避するセンサ退避手段と、
を有することを特徴とする請求項１記載の画像形成装置。
【請求項２】
前記ガイド退避手段は、
前記露光手段の露光面の部分の前記搬送手段のガイドが前記感光材料の搬送方向に沿って移動することを特徴とする請求項１記載の画像形成装置。
【請求項３】
前記ガイド退避手段は、
前記露光手段の露光面の部分の前記搬送手段のガイドが回転移動することを特徴とする請求項１記載の画像形成装置。
【請求項４】
前記ガイド退避手段は、
前記露光手段の露光面の部分の前記搬送手段のガイドが前記発光素子の光を透過する透過部を有し、
前記露光手段の露光面の部分の前記搬送手段のガイドが前記発光素子の光路に沿って移動することを特徴とする請求項１記載の画像形成装置。
【請求項５】
列状に配設された複数の発光素子を有し、感光材料に対して画像データを列状に露光する露光手段と、
該露光手段の露光面に、前記感光材料を前記露光手段の発光素子の配設方向と交差する方向に案内搬送する搬送手段と、
前記露光手段の露光面での前記発光素子の光量を測定するセンサと、
を有する画像形成装置において、
周面に、感光材料を案内するガイド部と、前記センサとが設けられ、前記周面が前記露光手段の露光面の部分を通過可能な回転体を有することを特徴とする画像形成装置。
【発明の詳細な説明】
【技術分野】
【０００１】
本発明は、列状に配設された複数の発光素子を有し、感光材料に対して画像データを列状に露光する露光手段と、該露光手段の露光面に、前記感光材料を前記露光手段の発光素子の配設方向と交差する方向に案内搬送する搬送手段と、前記露光手段の露光面での前記発光素子の光量を測定するセンサとを有する画像形成装置に関する。
【背景技術】
【０００２】
画像形成装置、例えば、写真処理装置では、感光材料としての印画紙に画像を露光する処理と、現像処理とをするようにしている。更に、露光に関しては、印画紙を搬送しながら、その搬送方向と交差する方向に画像データを列状に露光する所謂デジタル露光方式のものがある。そして、列状に露光する光源としては、複数のＬＥＤや半導体レーザ等の発光素子が用いられる。
【０００３】
ところで、このような複数の光源を用い、列状の露光を行なう場合には、各発光素子の露光面での光量が均一であることが要求される。従って、各発光素子の光量をセンサで測定し、光量調整をしている。
【０００４】
しかし、露光面には、感光材料を露光手段の発光素子の配設方向と交差する方向に案内搬送する搬送手段のガイドが配置されている。そこで、センサで各発光素子の光量を測定する場合には、搬送手段全体を露光面から移動させている（例えば、特許文献１参照。）。
【特許文献１】特開２００２−９９０４８号公報（明細書第２頁〜第５頁、図２、図３）
【発明の開示】
【発明が解決しようとする課題】
【０００５】
しかし、搬送手段全体を露光面から移動させるには、搬送手段全体が退避する広いスペースが必要で、更に搬送機構全体を移動させる機構も大きくなり、画像形成装置が大型化する問題点がある。
【０００６】
本発明は、上記問題点に鑑みてなされたもので、その課題は、小型化が可能な画像形成装置を提供することにある。
【課題を解決するための手段】
【０００７】
上記課題を解決する請求項１に係る発明は、列状に配設された複数の発光素子を有し、感光材料に対して画像データを列状に露光する露光手段と、該露光手段の露光面に、前記感光材料を前記露光手段の発光素子の配設方向と交差する方向に案内搬送する搬送手段と、前記露光手段の露光面での前記発光素子の光量を測定するセンサとを有する画像形成装置において、前記露光手段の露光面の部分の前記搬送手段のガイドを前記露光手段の露光面から退避するガイド退避手段と、前記センサを前記露光手段の露光面から退避するセンサ退避手段とからなることを特徴とする画像形成装置である。
【０００８】
露光手段の発光素子の露光面での光量を測定する場合には、センサを露光手段の露光面の部分に配置させ、ガイド退避手段により感光材料を前記露光面に案内する前記搬送手段のガイドは露光手段の露光面の部分から退避させる。そして、センサを用いて各発光素子の光量を測定する。センサは各発光素子に対応して複数設けて、一度に測定してもよいし、１つのセンサを露光面に沿って移動（走査）させ、各発光素子の光量を順次測定するようにしてもよい。
【０００９】
感光材料を露光する場合には、感光材料を前記露光面に案内する前記搬送手段のガイドを露光手段の露光面の部分に配置させ、センサ退避手段によりセンサを露光手段の露光面の部分から退避させる。
【００１０】
搬送手段で感光材料を前記露光手段の発光素子の配設方向と交差する方向に案内搬送し、露光手段の列状に配設された複数の発光素子で感光材料に対して画像データを列状に露光する。
【００１１】
請求項２に係る発明は、前記ガイド退避手段は、前記露光手段の露光面の部分の前記搬送手段のガイドが前記感光材料の搬送方向に沿って移動することを特徴とする請求項１記載の画像形成装置である。
【００１２】
請求項３に係る発明は、前記ガイド退避手段は、前記露光手段の露光面の部分の前記搬送手段のガイドが回転移動することを特徴とする請求項１記載の画像形成装置である。
【００１３】
請求項４に係る発明は、前記ガイド退避手段は、前記露光手段の露光面の部分の前記搬送手段のガイドが前記発光素子の光を透過する透過部を有し、前記露光手段の露光面の部分の前記搬送手段のガイドが前記発光素子の光路に沿って移動することを特徴とする請求項１記載の画像形成装置である。
【００１４】
請求項５に係る発明は、列状に配設された複数の発光素子を有し、感光材料に対して画像データを列状に露光する露光手段と、該露光手段の露光面に、前記感光材料を前記露光手段の発光素子の配設方向と交差する方向に案内搬送する搬送手段と、前記露光手段の露光面での前記発光素子の光量を測定するセンサと、を有する画像形成装置において、周面に、感光材料を案内するガイド部と、前記センサとが設けられ、前記周面が前記露光手段の露光面の部分を通過可能な回転体を有することを特徴とする画像形成装置である。
【００１５】
露光手段の発光素子の露光面での光量を測定する場合には、回転体を回転させ、センサを露光手段の露光面の部分に配置させ、感光材料を前記露光面に案内する前記搬送手段のガイドは露光手段の露光面の部分から退避させる。そして、センサを用いて各発光素子の光量を測定する。センサは各発光素子に対応して複数設けて、一度に測定してもよいし、１つのセンサを露光面に沿って移動（走査）させ、各発光素子の光量を順次測定するようにしてもよい。
【００１６】
感光材料を露光する場合には、回転体を回転させ、感光材料を前記露光面に案内する前記搬送手段のガイドを露光手段の露光面の部分に配置させ、センサを露光手段の露光面の部分から退避させる。
【００１７】
搬送手段で感光材料を前記露光手段の発光素子の配設方向と交差する方向に案内搬送し、露光手段の列状に配設された複数の発光素子で感光材料に対して画像データを列状に露光する。
【００１８】
又、前記露光手段の露光面の部分の前記搬送手段のガイドと、他の部分の前記搬送手段のガイドとの接続部分での前記感光材料の先端と対向する面は、引っ掛かりがなく、スムーズな感光材料の搬送を得るために、前記感光材料の搬送方向とのなす角が鋭角となる斜面であることが望ましい。
【発明の効果】
【００１９】
請求項１〜請求項４に係る発明によれば、前記露光手段の露光面の部分の前記搬送手段のガイドを前記露光手段の露光面から退避するガイド退避手段と、前記センサを前記露光手段の露光面から退避するセンサ退避手段とからなることにより、搬送手段全体を退避させる構成に比べ、退避するスペースが狭くてすみ、更に機構も小さくなり、画像形成装置を小型化することができる。
【００２０】
請求項５に係る発明によれば、周面に、感光材料を案内するガイド部と、前記センサとが設けられ、前記周面が前記露光手段の露光面の部分を通過可能な回転体を有することにより、搬送手段全体を退避させる構成に比べ、退避するスペースが狭くてすみ、更に機構も小さくなり、画像形成装置を小型化することができる。
【発明を実施するための最良の形態】
【００２１】
以下、図面を用いて本発明を実施するための最良の形態を説明する。
（第１の形態例：請求項１、２に対応）
最初に、本形態例の画像形成装置の全体構成を図３を用いて説明する。画像形成装置１は、大別して長尺の感光材料をシート状に切断するカッタ３が設けられた感光材料供給部５と、シート状に切断された感光材料を露光する露光部７と、露光された感光材料を図示しない現像装置へ排出する感光材料排出部９とからなっている。
【００２２】
次に、図１を用いて、本形態例の発明部分である露光部を説明する。露光部７は、列状（図１の紙面に対して垂直方向）に配設された複数の発光素子１１を有し、感光材料に対して画像データを列状に露光する露光手段１３と、露光手段１３の露光面Ｅに、感光材料を露光手段の発光素子１１の配設方向と交差する方向（図１の紙面方向）に案内搬送する搬送手段１５とからなっている。
【００２３】
搬送手段１５は、露光手段１３を介して感光材料供給手段５側に一組の搬送ローラ対１７と、感光材料排出部９側に二組の搬送ローラ対１７′、１７″とが設けられている。感光材料はこれら搬送ローラ対１７が駆動されることにより挟持搬送される。
【００２４】
又、二点鎖線で示すセンサ１９は、センサ退避手段により、露光時には、露光面Ｅより退避している。センサ１９は露光手段の発光素子１１の配設方向と平行に移動可能に設けられ、測定時には露光面Ｅの位置に移動し（二点鎖線で示す状態）、発光素子１１の光量を測定するようになっている。
【００２５】
ここで、図１及び図１のガイド部分の拡大図である図２を用いて、感光材料を露光面Ｅに案内する搬送手段１５のガイドを説明する。
【００２６】
図１に示すように、露光手段１３の露光面Ｅ部分には、搬送ローラ対１７で搬送された感光材料を露光面Ｅへ案内し、更に、搬送ローラ対１７′へ案内するガイド２１が設けられている。本形態例のガイド２１は、３つの部分よりなっている。露光面Ｅを介して搬送ローラ対１７側には第１固定ガイド２３が設けられている。搬送ローラ対１７′側には、第１固定ガイド２３とは、露光面Ｅを含む隙間Ｓを介して設けられ、第１固定ガイド２３側の上面に段部２７が形成された第２固定ガイド２５が設けられている。そして、第２固定ガイド２５の段部２７には、感光材料の搬送方向に沿って移動で、隙間Ｓを隠蔽／隙間Ｓから退避可能な移動ガイド（シャッタ）２９が設けられている。
【００２７】
又、ガイド２１の上方には、ガイド２１と空間を介して固定ガイド２２が設けられている。この固定ガイド２２には、発光素子１１からの光を通す穴２２ａが形成されている。尚、穴２２ａに透明部材を設けてもよい。
【００２８】
又、露光手段１３の露光面Ｅの部分の搬送手段１５のガイドと、他の部分の搬送手段１５のガイドとの接続部分での感光材料の先端と対向する面は、感光材料の搬送方向とのなす角が鋭角となる斜面が形成されている。即ち、本形態例では、図２に示すように、移動ガイド２９の感光材料の先端と対向する面は、感光材料の搬送方向とのなす角が鋭角となる斜面２９ａが形成されている。又、第２固定ガイド２５の感光材料の先端と対向する面は、感光材料の搬送方向とのなす角が鋭角となる斜面２５ａが形成されている。このような斜面２９ａ、斜面２５ａを設けることにより、引っ掛かりがなく、スムーズな感光材料の搬送を得ることができる。
【００２９】
次に、図１に示す構成の作動を説明する。露光手段１３の発光素子１１の露光面Ｅでの光量を測定する場合には、センサ１９を露光手段１３の露光面Ｅの部分に配置させ、搬送手段１５のガイド２１の移動ガイド２９を隙間Ｓから退避させる。そして、センサ１９を用いて各発光素子１１の光量を測定する。
【００３０】
感光材料を露光する場合には、隙間Ｓを移動ガイド２９で隠蔽し、センサ１９を露光手段１３の露光面Ｅの部分から退避させる。
【００３１】
搬送手段１５で感光材料を露光手段１３の発光素子１１の配設方向と交差する方向に案内搬送し、露光手段１３の列状に配設された複数の発光素子１１で感光材料に対して画像データを列状に露光する。
【００３２】
このような構成によれば、搬送手段全体を退避させる構成に比べ、第２固定ガイド２５の段部２７に設けられ、感光材料の搬送方向に沿って移動で、隙間Ｓを隠蔽／隙間Ｓから退避可能な移動ガイド２９は、移動範囲はきわめて小さいので、退避するスペースが狭くてすみ、更に、移動ガイド２９を移動させる機構も小さく、画像形成装置を小型化することができる。
【００３３】
又、移動ガイド２９を駆動する駆動源と、センサ退避手段との駆動源を共通化することも可能である。
（第２の形態例：請求項１、３に対応）
第２の形態例を示す図４を用いて説明する。第１の形態例と、第２の形態例との相違点は、ガイド５１であり、他の部分は同一であるので、同一部分には同一符号を付し、重複する説明は省略する。
【００３４】
本形態例のガイド５１は、２つの部分よりなっている。露光面Ｅを介して搬送ローラ対１７側には、搬送ローラ対１７側を回転中心とする第１回転ガイド５３が設けられ、搬送ローラ対１７′側には、搬送ローラ対１７′側を回転中心とする第２回転ガイド５５が設けられている。そして、第１回転ガイド５３と、第２回転ガイド５５とが感光材料の搬送方向とほぼ沿った位置（図において実線位置）まで移動すると、第１回転ガイド５３と、第２回転ガイド５５とは感光材料を案内可能な状態となり、二点鎖線の位置まで退避すると、センサ１９が発光素子１１の光量を測定可能となる。
【００３５】
このような構成によれば、搬送手段全体を退避させる構成に比べ、第１回転ガイド５３、第２回転ガイド５５を設けたことにより、第１回転ガイド５３、第２回転ガイド５５の退避するスペースが狭くてすみ、更に第１回転ガイド５３、第２回転ガイド５５を移動させる機構も小さくなり、画像形成装置を小型化することができる。
【００３６】
尚、本発明は、上記形態例に限定するものではない。例えば、図５に示すような構成であってもよい。図５に示す形態例と、図４に示す形態例との相違点は、ガイド６１であり、他の部分は同一であるので、同一部分には同一符号を付し、重複する説明は省略する。
【００３７】
搬送ローラ対１７′側には、搬送ローラ対１７′側を回転中心とする回転ガイド６５が設けられている。そして、回転ガイド６５が感光材料の搬送方向とほぼ沿った位置（図において実線位置）まで移動すると、回転ガイド６５は感光材料を案内可能な状態となり、二点鎖線の位置まで退避すると、センサ１９が発光素子１１の光量を測定可能となる。
【００３８】
このような構成によれば、搬送手段全体を退避させる構成に比べ、回転ガイド６５を設けたことにより、回転ガイド６５の退避するスペースが狭くてすみ、更に回転ガイド６５を移動させる機構も小さくなり、画像形成装置を小型化することができる。更に、図４に示す構成に比べて、回転ガイドが１つなので、機構が更に簡単となる。
（第３の形態例：請求項１、４に対応）
第３の形態例を示す図６を用いて説明する。第１の形態例と、第３の形態例との相違点は、ガイド７１とセンサ８１であり、他の部分は同一であるので、同一部分には同一符号を付し、重複する説明は省略する。
【００３９】
本形態例のガイド７１は、ロアガイド７３と、ロアガイド７３の上方に空間を介して設けられたアッパガイド７５との、２つの部分よりなっている。アッパガイド７５には、発光素子１１からの光を通す穴７５ａが形成されている。又、ロアガイド７３にも発光素子１１からの光を通す穴７３ａが形成され、更に、穴７３ａは透明材７７で充填されている。
【００４０】
そして、ガイド７１は、図示しない退避手段により、搬送ローラ対１７で搬送された感光材料を露光面Ｅへ案内し、更に、搬送ローラ対１７′へ案内する図６（ａ）の位置と、図６（ａ）の位置から発光素子１１の光路に沿って上方に移動し、ガイド７１が露光面Ｅから退避した図６（ｂ）の位置とに移動可能となっている。
【００４１】
ガイド７１のロアガイド７３の下方の発光素子１１の光路上には、センサ８１が設けられている。このセンサ８１は、露光面Ｅから退避した図６（ａ）の位置と、図６（ａ）の位置から発光素子１１の光路に沿って上方に移動し、露光面Ｅで発光素子１１の光量を測定可能な図６（ｂ）の位置とに移動可能となっている。
【００４２】
尚、本形態例において、ガイド７１とセンサ８１とを一体的に設け、１つの駆動源で駆動してもよいし、ガイド７１とセンサ８１とをそれぞれ独立して設け、個々に駆動てもよい。
【００４３】
このような構成によれば、搬送手段全体を退避させる構成に比べ、ガイド７１が発光素子１１の光路に沿って移動するようにしたことにより、ガイド７１の退避するスペースが狭くてすみ、更にガイド７１を移動させる機構も小さくなり、画像形成装置を小型化することができる。
【００４４】
又、ガイド７１とセンサ８１とを一体的に設け、１つの駆動源で駆動すると、構造が簡単になる。
【００４５】
尚、本発明は、上記形態例に限定するものではない。例えば、図７に示すような構成であってもよい。図７に示す形態例と、図６に示す形態例との相違点は、ガイド９１とセンサ１０１であり、他の部分は同一であるので、同一部分には同一符号を付し、重複する説明は省略する。
【００４６】
本形態例のガイド９１は、ロアガイド９３と、ロアガイド９３の上方に空間を介して設けられたアッパガイド９５との、２つの部分よりなっている。アッパガイド９５には、発光素子１１からの光を通す穴９５ａが形成されている。
【００４７】
又、センサ１０１は、第１の形態例と同様に、センサ退避手段により、露光時には、露光面Ｅより退避している。センサ１０１は露光手段の発光素子１１の配設方向と平行に移動可能に設けられ、測定時には露光面Ｅの位置に移動し、発光素子１１の光量を測定するようになっている。
【００４８】
そして、本形態例のガイド９１は、搬送ローラ対１７で搬送された感光材料を露光面Ｅへ案内し、更に、搬送ローラ対１７′へ案内する場合には、ガイド９１のロアガイド９３の上面が露光面Ｅと一致する位置にあるが、センサ１０１で測定する場合には、図に示すように、発光素子１１の光路に沿って下方に移動して退避し、露光面Ｅから退避していたセンサ１０１が露光面Ｅに移動する。
【００４９】
このような構成によれば、搬送手段全体を退避させる構成に比べ、ガイド９１が発光素子１１の光路に沿って移動するようにしたことにより、ガイド９１の退避するスペースが狭くてすみ、更にガイド９１を移動させる機構も小さくなり、画像形成装置を小型化することができる。
【００５０】
又、図７におけるセンサ１０１は、図８に示すような、露光面Ｅに配置される反射ミラー１１３と、反射ミラー１１３で反射された発光素子１１の光を測定するセンサ１１１とであってもよい。
（第４の形態例：請求項１に対応）
第４の形態例を示す図９を用いて説明する。第１の形態例と、第４の形態例との相違点は、ガイド１２１であり、他の部分は同一であるので、同一部分には同一符号を付し、重複する説明は省略する。
【００５１】
本形態例のガイド１２１は、３つの部分よりなっている。露光面Ｅを介して搬送ローラ対１７側には第１固定ガイド１２３が設けられている。搬送ローラ対１７′側には、第１固定ガイド１２３とは、露光面Ｅを含む隙間Ｓを介して設けられた第２固定ガイド１２５が設けられている。そして、隙間Ｓには、移動ガイド１２７がもうけられている。この移動ガイド１２７は、図示しないガイド退避手段により、隙間Ｓに位置し、搬送ローラ対１７で搬送された感光材料を露光面Ｅへ案内し、更に、搬送ローラ対１７′へ案内する位置（図において実線位置）と、発光素子１１の露光面Ｅから退避した位置（図において二点鎖線の位置）とに移動可能である。
【００５２】
又、露光手段１３の露光面Ｅの部分の搬送手段１５のガイドと、他の部分の搬送手段１５のガイドとの接続部分での感光材料の先端と対向する面は、感光材料の搬送方向とのなす角が鋭角となる斜面が形成されている。即ち、本形態例では、図に示すように、移動ガイド１２７の感光材料の先端と対向する面は、感光材料の搬送方向とのなす角が鋭角となる斜面１２７ａが形成されている。又、第２固定ガイド１２５の感光材料の先端と対向する面は、感光材料の搬送方向とのなす角が鋭角となる斜面１２５ａが形成されている。このような斜面１２７ａ、斜面１２５ａを設けることにより、引っ掛かりがなく、スムーズな感光材料の搬送を得ることができる。
【００５３】
次に、図９に示す構成の作動を説明する。露光手段１３の発光素子１１の露光面Ｅでの光量を測定する場合には、センサ１９を露光手段１３の露光面Ｅの部分に配置させ、搬送手段１５のガイド１２１の移動ガイド１２７は、隙間Ｓから退避させる。そして、センサ１９を用いて各発光素子１１の光量を測定する。
【００５４】
感光材料を露光する場合には、隙間Ｓに移動ガイド１２７を位置させ、センサ１９を露光手段１３の露光面Ｅの部分から退避させる。
【００５５】
搬送手段１５で感光材料を露光手段１３の発光素子１１の配設方向と交差する方向に案内搬送し、露光手段１３の列状に配設された複数の発光素子１１で感光材料に対して画像データを列状に露光する。
【００５６】
このような構成によれば、搬送手段全体を退避させる構成に比べ、移動ガイド１２７は、移動範囲はきわめて小さいので、退避するスペースが狭くてすみ、更に、移動ガイド１２７を移動させる機構も小さく、画像形成装置を小型化することができる。
【００５７】
尚、本発明は、上記形態例に限定するものではない。例えば、図６におけるガイド７１、図７、図８におけるガイド９１は、それぞれ光軸に沿って移動したが、光軸と交差する方向、例えば、紙面に対して垂直方向に移動するようにしてよい。
（第５の形態例：請求項５に対応）
第５の形態例を示す図１０を用いて説明する。第１の形態例を示す図１と、同一部分には同一符号を付し、重複する説明は省略する。
【００５８】
露光面Ｅを介して搬送ローラ対１７側には第１固定ガイド１５１が設けられている。搬送ローラ対１７′側には、第１固定ガイド１５１とは、露光面Ｅを含む隙間Ｓを介して設けられた第２固定ガイド１５３が設けられている。
【００５９】
第１固定ガイド１５１と第２固定ガイド１５３との間には、ドラム１６１が配設されている。このドラム１６１は、その周面が、露光面Ｅを通過可能なように配置されている。ドラム１６１の周面には、感光材料を案内するガイド部１６３と、ガイド部１６３と約１８０°離れた箇所に、発光素子１１と対応したセンサ１６５とが設けられている。
【００６０】
又、露光手段１３の露光面Ｅの部分の搬送手段１５のガイド部１６３と、他の部分の搬送手段１５のガイドとの接続部分での感光材料の先端と対向する面は、感光材料の搬送方向とのなす角が鋭角となる斜面が形成されている。即ち、本形態例では図１０のＡ部分の拡大図である図１１に示すように、第２固定ガイド１５３のの感光材料の先端と対向する面は、感光材料の搬送方向とのなす角が鋭角となる斜面１５３ａが形成されている。このような斜面１５３ａを設けることにより、引っ掛かりがなく、スムーズな感光材料の搬送を得ることができる。
【００６１】
次に、図１０に示す構成の作動を説明する。露光手段１３の発光素子１１の露光面Ｅでの光量を測定する場合には、ドラム１６１を回転させてセンサ１６５を露光手段１３の露光面Ｅの部分に配置させる。この時、ドラム１６１のガイド部１６３は、隙間Ｓから退避した位置にある。そして、センサ１９を用いて各発光素子１１の光量を測定する。
【００６２】
感光材料を露光する場合には、ドラム１６１を約１８０°回転させてガイド部１６３を露光手段１３の露光面Ｅの部分に配置させる。この時、ドラム１６１のセンサ１６５は、隙間Ｓから退避した位置にある
搬送手段１５で感光材料を露光手段１３の発光素子１１の配設方向と交差する方向に案内搬送し、露光手段１３の列状に配設された複数の発光素子１１で感光材料に対して画像データを列状に露光する。
【００６３】
尚、本発明は、上記形態例に限定するものではない。上記形態例では、ドラム１６１の周面に、ガイド部１６３と、発光素子１１とを約１８０°離れた箇所に設けたが、約１８０°に限定するものではない。発光素子１１は、ドラム１６１の周面上でガイド部１６３以外の部分ならどこでもよい。
【００６４】
又、上記形態例ではドラムを用いたが、図１２に示すような扇状の回転体１７１であってもよい。この回転体１７１の周面が、露光面Ｅを通過可能なように配置する。そして、周面には、感光材料を案内するガイド部１７３と、発光素子１１と対応したセンサ１７５と設ける。このような構成でも、図１０に示す構成と同様な効果を得ることができる。
【図面の簡単な説明】
【００６５】
【図１】本発明の第１の形態例の発明部分を示す構成図である。
【図２】図１のガイド部分の拡大図である。
【図３】本発明の第１の形態例の画像形成装置の全体構成を示す図である。
【図４】本発明の第２の形態例の発明部分を示す構成図である。
【図５】本発明の第２の形態例の他の形態例を示す構成図である。
【図６】本発明の第３の形態例の発明部分を示す構成図である。
【図７】本発明の第３の形態例の他の形態例を示す構成図である。
【図８】本発明の第３の形態例の他の形態例を示す構成図である。
【図９】本発明の第４の形態例の発明部分を示す構成図である。
【図１０】本発明の第５の形態例の発明部分を示す構成図である。
【図１１】図１０のＡ部分の拡大図である。
【図１２】本発明の第５の形態例の他の形態例を示す構成図である。
【符号の説明】
【００６６】
１３  露光手段
１９  センサ
２９  移動ガイド
Ｅ  露光面
【図１】
2005161649.tif 000003
【図２】
2005161649.tif 000004
【図３】
2005161649.tif 000005
【図４】
2005161649.tif 000006
【図５】
2005161649.tif 000007
【図６】
2005161649.tif 000008
【図７】
2005161649.tif 000009
【図８】
2005161649.tif 000010
【図９】
2005161649.tif 000011
【図１０】
2005161649.tif 000012
【図１１】
2005161649.tif 000013
【図１２】
2005161649.tif 000014